【事件の表示】
　平成１０年特許願第２２１３１８号「マトリックス表示装置」拒絶査定に対する審判事件［平成１１年　４月３０日出願公開、特開平１１−１１９７４９］について、次のとおり審決する。
【結　論】
　本件審判の請求は、成り立たない。
【理　由】
１．出願の経緯・本願発明
　本願は、平成元年３月２０日に出願した特願平１−６６１０２号の一部を平成１０年８月５日に新たな特許出願としたものであって、その請求項１〜３に係る発明は、平成１１年５月３１日付、平成１２年２月９日付手続補正書で補正された明細書及び図面の記載からみて、その請求項１〜３に記載されたとおりであるが、その請求項１は以下のとおりである。(以下「本願発明１」という。)
　
「【請求項１】　X方向に配列された複数のX方向信号線と、Y方向に配列された複数のY方向信号線と、前記複数のX方向信号線と前記複数のY方向信号線とがそれぞれ交差する点で複数のピクセルをマトリックス上に形成し、X方向に隣接する３つのピクセルがそれぞれR、G、Bを表示することで一つのドットを形成するマトリックスディスプレイパネルと、前記マトリックスディスプレイパネルにR、G、B多階調のマルチカラーを表示させる駆動電圧を、前記複数のX方向信号線に出力するX方向駆動手段と、前記X方向駆動手段の駆動に同期して前記複数のY方向信号線を連続的に走査するY方向駆動手段と、前記X方向駆動手段は、前記マトリックスディスプレイパネル上の第１のドットにマルチカラーを表示させるためのR、G、Bの各々がNビットで構成される第１の多階調ディジタルデータと、第２のドットにマルチカラーを表示させるためのR、G、Bの各々がNビットで構成される第２の多階調ディジタルデータとを、外部から供給されるクロックの一つクロックパルスで入力し、前記入力した第１の多階調ディジタルデータに対応した駆動電圧を前記第１のドットに印加し、前記第２のドットに前記入力した第２の多階調ディジタルデータに対応した駆動電圧を印加することを特徴とするイメージ表示装置。」
　
２．原査定の拒絶の理由
　平成１１年１２月９日付拒絶査定は「この出願については、平成１１年　３月１９日付け拒絶理由通知書に記載した理由１によって、拒絶査定する。」というものであるが、該拒絶査定で引用する平成１１年３月１９日付拒絶理由通知で通知した理由１の概略は以下のとおりである。
　
『１．この出願の下記の請求項に係る発明は、その出願前日本国内において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　　　　　 記　　　（引用文献等については引用文献等一覧参照）
・請求項　　　１〜３
・引用文献等　１〜６
１．特開昭６３−１６１４９５号公報
２．特開昭６３−３０４２２９号公報
３．特開昭６３−１０７３８０号公報
４．特開昭５５−２８６４９号公報
５．特開昭６３−１１５１９８号公報
６．特開昭６２−２５１７９８号公報』
　
３．引用文献
　上記引用文献１，５には、以下の発明が記載されている。
　
３−１．引用文献１(特開昭６３−１６１４９５号公報)
　上記引用文献１には、下記の記載がある。
　
「入力された多階調デジタル映像信号の画像クロックでシフト動作されるシフトレジスタと、
　そのシフトレジスタの各シフト段よりの出力によって上記映像信号がラッチされる第１ラッチ回路と、
　その第１ラッチ回路にラッチされた映像信号のうち１主走査線分のデータを同時にラッチされる第２ラッチ回路と、
　その第２ラッチ回路の各画素データをそれぞれデコードするデコーダと、
　そのデコーダからの出力によって制御されて対応した駆動電圧の一つを選択して液晶セルの駆動端子に出力する選択回路とを具備する液晶駆動装置。」(公報第１頁左下欄第５〜１８行)
「
カラー映像信号
　第２図は入力ディジタル映像信号がカラー映像画像の場合の実施例を示す。映像信号の入力端子２８Ｒ、２８Ｇ、２８Ｂにはそのディジタル化された赤色映像信号ＶＲ、緑色映像信号ＶＧ、青色映像信号ＶＢがそれぞれ印加されている。この例では各色信号の画素データが３ビット、即ちｍ＝３の場合を示している。」(公報第３頁右上欄第１６行〜左下欄第３行)
「
色信号配列の入替
　液晶セル内における色フィルタの配列は、第３図Ａ，Ｂ，Ｃに示すように各種のタイプがある。第３図Ａは斜めのダイヤゴナルタイプであって、同じ色フィルタが斜めに同一直線上に配列されている。一方第３図Ｂは縦方向のストライプフィルタであって、縦方向においては同一色フィルタが配列されている。第３図Ｃはデルタ配列タイプであって、２行ごとに同一配列となり、しかもその２行の間においてはその一方の色フィルタに対し、そのピッチの半ピッチ分だけ他方の色フィルタは行方向にずらされている。その他の配列のものもある。」(公報第３頁左下欄第２０行〜右下欄第１２行)
　また、第３図からには、Ｘ方向に隣接する３つのピクセルがそれぞれＲ，Ｇ，Ｂを表示することで１つのドットを形成したカラー液晶がみてとれる。
　
　したがって、上記引用文献１には「Ｘ方向に隣接する３つのピクセルがそれぞれＲ，Ｇ，Ｂを表示することで１つのドットを形成したカラー液晶を用いた表示装置において、入力された多階調カラーデジタル映像信号の画像クロックでシフト動作されるシフトレジスタと、そのシフトレジスタの各シフト段よりの出力によって上記多階調カラーデジタル映像信号がラッチされる第１ラッチ回路と、その第１ラッチ回路にラッチされた多階調カラーデジタル映像信号のうち１主走査線分の多階調カラーデジタル映像信号を同時にラッチされる第２ラッチ回路と、その第２ラッチ回路の各多階調カラーデジタル映像信号をそれぞれデコードするデコーダと、そのデコーダからの出力によって制御されて対応した駆動電圧の一つを選択してカラー液晶の液晶セルの駆動端子に出力する選択回路とを具備する表示装置。」(以下「引用文献１記載の発明」という。)が記載されている。
　
３−２．引用文献５(特開昭６３−１１５１９８号公報)
　上記引用文献５には、下記の記載がある。
　
「[概要]
　階調表示を行うマトリクス表示装置において、画素数が増えた場合、アナログデータのサンプリング周波数がデータドライバの動作周波数を超えてしまうという問題を解決するため、外部シフトクロックの入力部にタイミング回路と、データドライバの入力部にアナログ分割回路を設け、アナログデータを外部シフトクロックを分周した内部クロックのタイミングで時分割し、これらを内部シフトクロックにしたがって同時に出力することにより、サンプルホールド回路の動作周波数を実質的に外部シフトクロックの１／分割数に下げ、低速のシフトレジスタを用いて画素数が増えた場合にも動作し得るデータドライバを構成した。」(公報第１頁右下欄第８行〜第２頁左上欄第１行)
「[問題点を解決するための手段]
　第１図は本発明のデータドライバの原理説明図である。アナログデータＤAの入力部には、時分割回路３が置かれ、外部シフトデータＥＤ及び外部シフトクロックＥＣＬＫの入力部には、クロックの分周や分割回路３を制御する制御信号を作るためのタイミング回路２が設けられている。
　上記分割回路３内では、外部シフトクロックＥＣＬＫに同期してアナログデータを分割し、それぞれを保持し、これらを内部シフトクロックＩＣＬＫに同期して同時に出力し、これらを個々に対応するサンプルホールド回路ＳＨに取り込む。」(公報第２頁右下欄第６〜１７行)
「なお本発明は上記一実施例に限定されるものではなく、種々変形して実施し得る。
　即ち、カラー用データドライバに対してはＲデータ，Ｇデータ，Ｂデータの各入力に対して分割回路を設ければ良く、また分割数も上記一実施例の２分割に変えて、３分割以上としても良い。
[発明の効果]
　以上説明した如く本発明によれば、アナログデータをシフトレジスタの動作速度を越える速度で分割可能となり、大容量の表示装置のデータドライバを、低速のシフトレジスタを用いて構成できる。」(公報第３頁右下欄第１９行〜第４頁左上欄第１１行)
　また、第１図からは、アナログデータＤAを分割回路３で２つに分割したパラレルデータＡとパラレルデータＢをそれぞれ取り込む隣接する画素のための２つのサンプルホールド回路ＳＨが、シフトレジスタＲが出力する同じ信号によって制御されていることがみてとれる。
　
　したがって、上記引用文献５には「アナログデータＤAを分割回路３で２つに分割したパラレルデータＡとパラレルデータＢをそれぞれ取り込む隣接する画素のための２つのサンプルホールド回路ＳＨが、シフトレジスタＲが出力する同じ信号によって制御されたことを特徴とするカラー階調表示を行うマトリクス表示装置データドライバ」(以下「引用文献５記載の発明」という。)が記載されている。
　
４．対比
　ここで、本願発明１と上記引用文献１記載の発明を比較する。
　
　第一に、上記引用文献１記載の発明の「Ｘ方向に隣接する３つのピクセルがそれぞれＲ，Ｇ，Ｂを表示することで１つのドットを形成したカラー液晶」が、本願発明１の「X方向に隣接する３つのピクセルがそれぞれR、G、Bを表示することで一つのドットを形成するマトリックスディスプレイパネル」に相当することは明らかである。
　第二に、上記引用文献１記載の発明の「入力された多階調カラーデジタル映像信号の画像クロックでシフト動作されるシフトレジスタと、そのシフトレジスタの各シフト段よりの出力によって上記多階調カラーデジタル映像信号がラッチされる第１ラッチ回路と、その第１ラッチ回路にラッチされた多階調カラーデジタル映像信号のうち１主走査線分の多階調カラーデジタル映像信号を同時にラッチされる第２ラッチ回路と、その第２ラッチ回路の各多階調カラーデジタル映像信号をそれぞれデコードするデコーダと、そのデコーダからの出力によって制御されて対応した駆動電圧の一つを選択してカラー液晶の液晶セルの駆動端子に出力する選択回路」が、本願発明１の「前記マトリックスディスプレイパネルにR、G、B多階調のマルチカラーを表示させる駆動電圧を、前記複数のX方向信号線に出力するX方向駆動手段」に相当することも明らかである。
　第三に、上記引用文献１記載の発明の「入力された多階調カラーデジタル映像信号」が本願発明１の「マトリックスディスプレイパネル上のドットにマルチカラーを表示させるためのＲ，Ｇ，Ｂの各々がＮビットで構成される」「多階調ディジタルデータ」に相当すること、また、上記引用文献１記載の発明の「そのシフトレジスタの各シフト段よりの出力によって上記多階調カラーデジタル映像信号がラッチされる第１ラッチ回路」が本願発明１の「外部から供給される」「クロックで入力し」に相当すること、上記引用文献１記載の発明の「カラー液晶の液晶セルの駆動端子に出力する」が本願発明１の「入力した」「多階調ディジタルデータに対応した駆動電圧を」「ドットに印加し」に相当すること、および、上記引用文献１記載の発明が少なくとも本願発明１の「第１のドット」「第２のドット」に相当する複数のドットを有していることは明らかである。
　
　したがって、本願発明１と上記引用文献１記載の発明は「X方向に隣接する３つのピクセルがそれぞれR、G、Bを表示することで一つのドットを形成するマトリックスディスプレイパネルと、前記マトリックスディスプレイパネルにR、G、B多階調のマルチカラーを表示させる駆動電圧を、前記複数のX方向信号線に出力するX方向駆動手段を有し、前記X方向駆動手段は、前記マトリックスディスプレイパネル上の第１のドットにマルチカラーを表示させるためのR、G、Bの各々がNビットで構成される第１の多階調ディジタルデータを、外部から供給されるクロックのクロックパルスで入力し、第２のドットにマルチカラーを表示させるためのR、G、Bの各々がNビットで構成される第２の多階調ディジタルデータを、外部から供給されるクロックのクロックパルスで入力し、前記入力した第１の多階調ディジタルデータに対応した駆動電圧を前記第１のドットに印加し、前記第２のドットに前記入力した第２の多階調ディジタルデータに対応した駆動電圧を印加することを特徴とするイメージ表示装置。」という点で一致し、以下の点で相違する。
　
(あ)　本願発明１の「マトリックスディスプレイパネル」が「X方向に配列された複数のX方向信号線と、Y方向に配列された複数のY方向信号線と、前記複数のX方向信号線と前記複数のY方向信号線とがそれぞれ交差する点で複数のピクセルをマトリックス上に形成し」たものであり、更に本願発明１は「前記X方向駆動手段の駆動に同期して前記複数のY方向信号線を連続的に走査するY方向駆動手段」を有するのに対し、上記引用文献１には、上記引用文献１記載の発明の「カラー液晶」がそのような構成を持つことについて、および、上記引用文献１記載の発明が本願発明１の「Y方向駆動手段」に相当する構成を有することについて、なんら記載が無い点。
(い)　本願発明１の「X方向駆動手段」は「前記マトリックスディスプレイパネル上の第１のドットにマルチカラーを表示させるためのR、G、Bの各々がNビットで構成される第１の多階調ディジタルデータ」と、「第２のドットにマルチカラーを表示させるためのR、G、Bの各々がNビットで構成される第２の多階調ディジタルデータ」とを、「外部から供給されるクロックの一つクロックパルスで入力し」ているのに対し、上記引用文献１記載の発明の「第１ラッチ回路」は、本願発明１の「第１の多階調ディジタルデータ」「第２の多階調ディジタルデータ」に相当する「入力された多階調カラーデジタル映像信号」をそれぞれ別個のクロックパルスで入力している点。
　
５．当審の判断
　上記相違点(あ)(い)について検討する。
　
５−１．相違点(あ)
　Ｘ方向およびＹ方向に信号線を配列し、その交点に表示のためのセルを設けることは、液晶に代表されるマトリックスディスプレイが、通常有する構成にすぎない。また、そのようなマトリックスディスプレイを駆動する場合に、Ｘ方向の駆動に同期したＹ方向の走査を行うこと、および、それを行うための駆動手段を用意することも、きわめて良く行われていることである。
　したがって、上記相違点(あ)は、実質的な相違点ではない。
　
５−２．相違点(い)
　上記引用文献５記載の発明は、その内部処理をアナログ信号で行っているものであるが、隣接する画素に対応する２つのサンプルホールド回路ＳＨが、１つのクロックパルスに応じて同時にそれぞれの画素に必要なデータを取り込んでいるものである。ここで、マトリックスディスプレイを駆動する回路の内部処理が、アナログであるものもディジタルであるものも、共に良く知られていること、上記引用文献５記載の発明のサンプルホールド回路ＳＨの機能は、上記引用文献１記載の発明の「第１ラッチ」「第２ラッチ」の機能と対応していることなどを勘案すると、上記引用文献５記載の発明を上記引用文献１記載の発明に適用し、本願発明１の「X方向駆動手段」のように「前記マトリックスディスプレイパネル上の第１のドットにマルチカラーを表示させるためのR、G、Bの各々がNビットで構成される第１の多階調ディジタルデータ」と、「第２のドットにマルチカラーを表示させるためのR、G、Bの各々がNビットで構成される第２の多階調ディジタルデータ」とを、「外部から供給されるクロックの一つクロックパルスで入力」するように構成したことは、当業者が容易になし得たことにすぎない。
　
　また、本件発明１が奏する作用効果は、上記引用文献１，５記載の発明、および、周知技術から予測しうる範囲内のものである。
　
６．むすび
　したがって、本件発明１は、上記引用文献１，５記載の発明、および、周知技術に基づいて当業者が容易に発明することができたものであるので、特許法第２９条第２項の規定により特許を受けることができない。
　よって結論のとおり審決する。